(57)【要約】【課題】  受信クライアント側で一旦蓄積されたコンテンツの視聴を支援する。【解決手段】  推薦コンテンツ・リストをコンテンツ・データベースとマッチング・マージ処理を行なう。コンテンツ・データベースにないコンテンツは推薦コンテンツ・リストから外される。さらに、推薦コンテンツ・リストの各コンテンツに基準リスト中の各基準を適用し、ユーザに提示すべき最終的な推薦優先度を決定する。基準リストは、コンテンツに適用した操作内容を基に構成される。無作為に推薦するのと異なり、蓄積済みのコンテンツを優先的に提示し、コンテンツに触れる確率が高まる。【選択図】  図１
2005033601.tif 000002
【特許請求の範囲】
【請求項１】
蓄積されたコンテンツの視聴を支援するコンテンツ視聴支援装置であって、
コンテンツを蓄積するコンテンツ蓄積手段と、
前記コンテンツ蓄積手段に蓄積されているコンテンツを管理するコンテンツ・データベースと、
前記コンテンツ蓄積手段に蓄積済みのコンテンツに対する操作に関連してコンテンツを視聴すべきかどうかを評価する評価項目からなる基準リストと、
前記基準リストを用いて前記コンテンツ蓄積手段に蓄積済みのコンテンツに関する視聴の推薦優先度を決定する視聴優先度決定手段と、
を具備することを特徴とするコンテンツ視聴支援装置。
【請求項２】
コンテンツは各放送局から配信される放送コンテンツであり、
放送コンテンツを受信するコンテンツ受信手段と、
受信したコンテンツのうち蓄積すべきものを選択するコンテンツ選択手段と、
放送コンテンツに関する視聴の優先度を記述した推薦コンテンツ・リストを受信する推薦コンテンツ・リスト受信手段をさらに備え、
前記視聴優先度決定手段は、まず推薦コンテンツ・リストとコンテンツ・データベースとのマッチング及び／又はマージ処理を行ない、前記コンテンツ蓄積手段に蓄積されていないコンテンツのエントリーを除去又は推薦優先度を低下させた後、基準リストの各評価項目を満足するかどうかに応じて推薦コンテンツ・リスト中の各コンテンツの視聴に関する推薦優先度を決定する、
ことを特徴とする請求項１に記載のコンテンツ視聴支援装置。
【請求項３】
複数の基準リストを備え、
前記視聴優先度決定手段は、ユーザに応じて基準リストを選択的に使用する、
ことを特徴とする請求項１に記載のコンテンツ視聴支援装置。
【請求項４】
基準リスト中の各評価項目は重み付けがなされており、
前記視聴優先度決定手段は、蓄積済みコンテンツが満たす評価項目の重みの総和に基づいて推薦優先度を決定する、
ことを特徴とする請求項１に記載のコンテンツ視聴支援装置。
【請求項５】
前記基準リストは、蓄積済みコンテンツの消去が禁止されているかどうかを評価項目に含む、
ことを特徴とする請求項１に記載のコンテンツ視聴支援装置。
【請求項６】
前記基準リストは、コンテンツが蓄積されたが未だユーザが見ていないかどうかを評価項目に含む、
ことを特徴とする請求項１に記載のコンテンツ視聴支援装置。
【請求項７】
前記基準リストは、蓄積してからある基準の時間を超えているコンテンツであるかどうかを評価項目に含む、
ことを特徴とする請求項１に記載のコンテンツ視聴支援装置。
【請求項８】
前記基準リストは、蓄積直後のコンテンツであるかどうかを評価項目に含む、
ことを特徴とする請求項１に記載のコンテンツ視聴支援装置。
【請求項９】
前記基準リストは、蓄積した日時が特定の日時と一致したコンテンツであるかどうかを評価項目に含む、
ことを特徴とする請求項１に記載のコンテンツ視聴支援装置。
【請求項１０】
前記基準リストは、視聴回数が多いコンテンツであるかどうかを評価項目に含む、
ことを特徴とする請求項１に記載のコンテンツ視聴支援装置。
【請求項１１】
前記基準リストは、ある時点のユーザの嗜好に近いコンテンツであるかどうかを評価項目に含む、
ことを特徴とする請求項１に記載のコンテンツ視聴支援装置。
【請求項１２】
前記基準リストは、ユーザＩＤに基づくコンテンツであるかどうかを評価項目に含む、
ことを特徴とする請求項１に記載のコンテンツ視聴支援装置。
【請求項１３】
前記視聴優先度決定手段による決定結果に基づいて推薦コンテンツをユーザに提示する提示手段をさらに備える、
ことを特徴とする請求項１に記載のコンテンツ視聴支援装置。
【請求項１４】
前記提示手段は、推薦コンテンツを推薦する提示理由を併せて提示する、
ことを特徴とする請求項１３に記載のコンテンツ視聴支援装置。
【請求項１５】
蓄積されたコンテンツの視聴を支援するコンテンツ視聴支援方法であって、
蓄積済みのコンテンツに対する操作に関連してコンテンツを視聴すべきかどうかを評価する評価項目からなる基準リストを用いて蓄積済みのコンテンツの視聴に関する推薦優先度を決定する視聴優先度決定ステップを備える、
ことを特徴とするコンテンツ視聴支援方法。
【請求項１６】
コンテンツは各放送局から配信される放送コンテンツであり、
放送コンテンツを受信するコンテンツ受信ステップと、
受信したコンテンツのうち蓄積すべきものを選択するコンテンツ選択ステップと、
放送コンテンツに関する視聴の優先度を記述した推薦コンテンツ・リストを受信する推薦コンテンツ・リスト受信ステップをさらに備え、
前記視聴優先度決定ステップでは、まず推薦コンテンツ・リストとコンテンツ・データベースとのマッチング及び／又はマージ処理を行ない、前記コンテンツ蓄積手段に蓄積されていないコンテンツのエントリーを除去又は推薦優先度を低下させた後、推薦コンテンツ・リスト中の各コンテンツの視聴に関する推薦優先度を決定する、
ことを特徴とする請求項１５に記載のコンテンツ視聴支援方法。
【請求項１７】
複数の基準リストを備え、
前記視聴優先度決定ステップでは、ユーザに応じて基準リストを選択的に使用する、
ことを特徴とする請求項１５に記載のコンテンツ視聴支援方法。
【請求項１８】
基準リスト中の各評価項目は重み付けがなされており、
前記視聴優先度決定ステップでは、蓄積済みコンテンツが満たす評価項目の重みの総和に基づいて推薦優先度を決定する、
ことを特徴とする請求項１５に記載のコンテンツ視聴支援方法。
【請求項１９】
前記視聴優先度決定ステップにおける決定結果に基づいて推薦コンテンツをユーザに提示する提示ステップをさらに備える、
ことを特徴とする請求項１５に記載のコンテンツ視聴支援方法。
【請求項２０】
前記提示ステップでは、推薦コンテンツを推薦する提示理由を併せて提示する、
ことを特徴とする請求項１９に記載のコンテンツ視聴支援方法。
【請求項２１】
蓄積されたコンテンツの視聴を支援するコンテンツ視聴支援システムであって、
受信したコンテンツを蓄積し、蓄積済みのコンテンツをコンテンツ・データベースで管理するとともにコンテンツに対する操作に関連する評価項目からなる基準リストを用いて蓄積済みのコンテンツに関する視聴の推薦優先度を決定するクライアントと、
コンテンツに関する視聴の優先度を記述した推薦コンテンツ・リストを提供するサーバとで構成され、
前記クライアント側では、まず推薦コンテンツ・リストとコンテンツ・データベースとのマッチング及び／又はマージ処理を行ない、前記コンテンツ蓄積手段に蓄積されていないコンテンツのエントリーを除去又は推薦優先度を低下させた後、基準リストの各評価項目を満足するかどうかに応じて推薦コンテンツ・リスト中の各コンテンツの視聴に関する推薦優先度を決定する、
ことを特徴とするコンテンツ視聴支援システム。
【請求項２２】
蓄積されたコンテンツの視聴を支援するための処理をコンピュータ・システム上で実行するようにコンピュータ可読形式で記述されたコンピュータ・プログラムであって、
蓄積済みのコンテンツに対する操作に関連してコンテンツを視聴すべきかどうかを評価する評価項目からなる基準リストを用いて蓄積済みのコンテンツの視聴に関する推薦優先度を決定する視聴優先度決定ステップを備える、
ことを特徴とするコンピュータ・プログラム。
【発明の詳細な説明】
【技術分野】
【０００１】
本発明は、放送コンテンツの視聴を支援するコンテンツ視聴支援装置及びコンテンツ視聴支援方法、コンテンツ視聴支援システム、並びにコンピュータ・プログラムに係り、特に、受信クライアント側で一旦蓄積されたコンテンツの視聴を支援するコンテンツ視聴支援装置及びコンテンツ視聴支援方法、コンテンツ視聴支援システム、並びにコンピュータ・プログラムに関する。
【背景技術】
【０００２】
デジタル技術の発達により、映像や音声からなるＡＶデータを大量に蓄積することが可能になってきた。最近では、数十ＧＢあるいはそれ以上の容量を持つＨＤＤ（ハード・ディスク・ドライブ）が比較的安価に入手することが可能となり、ＨＤＤベースの録画機や、テレビ番組の録画／視聴機能を持ったパーソナル・コンピュータ（ＰＣ）などが登場してきている。ハード・ディスク装置などの大容量ストレージを搭載した受信機を使用し、放送コンテンツを受信し一旦受信機内に蓄積してから再生することを、サーバ型放送とも呼ぶ。
【０００３】
ＨＤＤは、記録データへのランダム・アクセスが可能な装置である。したがって、録画コンテンツを再生するときは、従来のビデオ・テープの場合のように、録画しておいた番組を単に先頭から順に再生する必要はなく、好きな番組（あるいは、番組中の特定のシーンや特定のコーナー）から直接再生を開始することができる。
【０００４】
しかしながら、ＨＤＤの大容量化に伴い、多数の番組が蓄積されている場合には、どの番組から最初に見始めるべきか、ユーザはコンテンツの選択に頭を悩ませることになる。折角蓄積したコンテンツの死蔵を防止して、有効活用を図るためには、何らかの視聴支援を行なうことが必要であると思料される。
【０００５】
従来では、コンテンツ受信時、若しくは蓄積前にコンテンツ選択を支援する技術は存在していたが、蓄積済のコンテンツに対して、推薦を行なうものは存在しなかった。言い換えれば、従来のコンテンツ選択支援は、ユーザ側で蓄積済みであるかどうかを考慮せず、無作為又は一方的なものである。このため、ユーザは、蓄積済コンテンツに対しては、能動的にコンテンツを探しに行く必要がある。
【０００６】
また、蓄積時にコンテンツを分類し、提示するという技術は存在するが、大量のコンテンツが蓄積されている場合、能動的にコンテンツを探しに行かなければいけないことには変わりない。
【０００７】
さらに、サーバからコンテンツの視聴が推薦されたとしても、必ずしもその推薦されたコンテンツがクライアント側で蓄積さているとは限らないので、効果的な視聴支援とはならない。
【発明の開示】
【発明が解決しようとする課題】
【０００８】
本発明の目的は、受信クライアント側で一旦蓄積されたコンテンツの視聴を好適に支援することができる、優れたコンテンツ視聴支援装置及びコンテンツ視聴支援方法、コンテンツ視聴支援システム、並びにコンピュータ・プログラムを提供することにある。
【課題を解決するための手段】
【０００９】
本発明は、上記課題を参酌してなされたものであり、その第１の側面は、蓄積されたコンテンツの視聴を支援するコンテンツ視聴支援装置であって、
コンテンツを蓄積するコンテンツ蓄積手段と、
前記コンテンツ蓄積手段に蓄積されているコンテンツを管理するコンテンツ・データベースと、
前記コンテンツ蓄積手段に蓄積済みのコンテンツに対する操作に関連してコンテンツを視聴すべきかどうかを評価する評価項目からなる基準リストと、
前記基準リストを用いて前記コンテンツ蓄積手段に蓄積済みのコンテンツの視聴に関する推薦優先度を決定する視聴優先度決定手段と、
を具備することを特徴とするコンテンツ視聴支援装置である。
【００１０】
ここで言うコンテンツは、例えば各放送局から配信される放送コンテンツのことである。そして、受信クライアント側では、放送コンテンツを受信し、ユーザの設定又は所定の自動録画予約手続に従って、受信したコンテンツを選択的に蓄積する。また、情報提供サーバなどから、放送コンテンツに関する視聴の優先度を記述した推薦コンテンツ・リストを受信する。
【００１１】
このような場合、前記視聴優先度決定手段は、まず推薦コンテンツ・リストとコンテンツ・データベースとのマッチング並びにマージ処理を行ない、前記コンテンツ蓄積手段に蓄積されていないコンテンツのエントリーを除去又は推薦優先度を低下させる。そして、推薦コンテンツ・リスト中の各コンテンツに関する視聴の推薦優先度を決定することができる。
【００１２】
したがって、本発明によれば、サーバから推薦されたコンテンツと、機器内に蓄積されているコンテンツと比較することによって、蓄積されているコンテンツのみに限定、または推薦する優先度を上げることができる。さらに、ある基準と比較して、ある基準を満たすコンテンツのみを、又は優先的に提示することができる。
【００１３】
受信クライアント側では、視聴回数などの蓄積されたコンテンツの状態が動的に変化する。本発明によれば、同じ基準でコンテンツの取捨選択を行なう場合であっても、処理するタイミングによって推薦するコンテンツが変化することになる。
【００１４】
本発明によれば、無作為又は一方的に推薦するのと異なり、蓄積済みのコンテンツを優先的に提示することにより、コンテンツに触れる確率が増え、結果としてコンテンツに触れる時間が増加する。
【００１５】
ここで、複数の基準リストを備え、前記視聴優先度決定手段はユーザに応じて基準リストを選択的に使用するようにしてもよい。
【００１６】
また、基準リスト中の各評価項目に重み付けを行ない、前記視聴優先度決定手段は、蓄積済みコンテンツが満たす評価項目の重みの総和に基づいて推薦優先度を決定するようにしてもよい。
【００１７】
前記基準リストは、例えば、蓄積済みコンテンツの消去が禁止されているかどうかを評価項目に含んでいる。プロテクトされているコンテンツは、ユーザが消去されたくないということは大切にしていると想定されるコンテンツである。したがって、そのコンテンツを優先的に提示してあげることは、ユーザが受け入れ易い。
【００１８】
また、前記基準リストは、コンテンツが蓄積されたが未だユーザが見ていないかどうかを評価項目に含んでいる。コンテンツが大量に蓄積されている状態であると、ユーザはどのコンテンツをチェックしたいか判らない状態に陥る。そこで、蓄積されたが未だ見ていないコンテンツを優先的に提示してあげることで、ユーザにとって視聴選択の参考になる。
【００１９】
また、前記基準リストは、蓄積してからある基準の時間を超えているコンテンツであるかどうかを評価項目に含んでいる。蓄積してからある程度時間が経過したコンテンツを提示することにより、ユーザに懐かしさを与えるとともに、新たな興味を持たせながら視聴してもらうことが可能になる。
【００２０】
また、前記基準リストは、蓄積直後のコンテンツであるかどうかを評価項目に含んでいる。蓄積直後のコンテンツを視聴させることは、ユーザによりリアルタイムに近い情報を与えることができる。例えば、ニュースなどのコンテンツであればより有効である。
【００２１】
また、前記基準リストは、蓄積した日時が特定の日時と一致したコンテンツであるかどうかを評価項目に含んでいる。ある特定の日時に関連したコンテンツを提示することによって、ユーザはより興味を増してコンテンツを視聴することが可能になる。
【００２２】
また、前記基準リストは、視聴回数が多いコンテンツであるかどうかを評価項目に含んでいる。視聴回数が多いコンテンツは、何回も見たいというコンテンツであると想定することが可能であり、そのコンテンツを優先的に提示してあげることで、ユーザは受け入れ易い。
【００２３】
また、前記基準リストは、ある時点のユーザの嗜好に近いコンテンツであるかどうかを評価項目に含んでいる。ユーザ嗜好度が高いコンテンツを優先的に提示してあげることで、ユーザは受け入れ易い。さらに、ユーザ嗜好度が動的に変化すれば、その時点での嗜好に合った効率のよい提示が可能になる。
【００２４】
また、前記基準リストは、ユーザＩＤに基づくコンテンツであるかどうかを評価項目に含んでいる。ユーザＩＤに属しているコンテンツは、そのユーザの興味のあるコンテンツである。そのコンテンツを優先的に提示してあげることで、ユーザは受け入れ易い。また、上述した他の評価基準と組み合わせることによって、パーソナライズした視聴支援を実現することができる。例えば、蓄積した日時が、ある特定の日時と一致した場合の例と組み合わせ、ユーザＩＤが一致し、且つ日時がユーザの誕生日と一致した場合に提示することをすれば、効率のよい提示になるであろう。
【００２５】
また、コンテンツ視聴支援装置は、前記視聴優先度決定手段による決定結果に基づいて推薦コンテンツをユーザに提示する提示手段をさらに備えていてもよい。そして、推薦コンテンツを推薦する提示理由をコンテンツの表示と併せて提示するようにしてもよい。
【００２６】
このように、ある基準（提示理由）とともに推薦コンテンツを提示することにより、過去に視聴したコンテンツに関しても、新たな興味を持ちながら再度視聴することを支援することができる。
【００２７】
また、本発明の第２の側面は、蓄積されたコンテンツの視聴を支援するための処理をコンピュータ・システム上で実行するようにコンピュータ可読形式で記述されたコンピュータ・プログラムであって、
蓄積済みのコンテンツに対する操作に関連してコンテンツを視聴すべきかどうかを評価する評価項目からなる基準リストを用いて蓄積済みのコンテンツの視聴に関する推薦優先度を決定する視聴優先度決定ステップを備える、
ことを特徴とするコンピュータ・プログラムである。
【００２８】
本発明の第２の側面に係るコンピュータ・プログラムは、コンピュータ・システム上で所定の処理を実現するようにコンピュータ可読形式で記述されたコンピュータ・プログラムを定義したものである。換言すれば、本発明の第２の側面に係るコンピュータ・プログラムをコンピュータ・システムにインストールすることによって、コンピュータ・システム上では協働的作用が発揮され、本発明の第１の側面に係るコンテンツ視聴支援装置と同様の作用効果を得ることができる。
【発明の効果】
【００２９】
本発明によれば、受信クライアント側で一旦蓄積されたコンテンツの視聴を好適に支援することができる、優れたコンテンツ視聴支援装置及びコンテンツ視聴支援方法、コンテンツ視聴支援システム、並びにコンピュータ・プログラムを提供することができる。
【００３０】
本発明によれば、サーバから推薦されたコンテンツと、記憶装置に蓄積されているコンテンツと比較することによって、蓄積されているコンテンツのみに限定、または推薦する優先度を上げることができる。さらに、ある基準と比較して、ある基準を満たすコンテンツのみを、又は優先的に提示することができる。
【００３１】
受信クライアント側では、視聴回数などの蓄積されたコンテンツの状態が動的に変化する。本発明によれば、同じ基準でコンテンツの取捨選択を行なう場合であっても、処理するタイミングによって推薦するコンテンツが変化することになる。
【００３２】
本発明によれば、無作為又は一方的に推薦するのと異なり、蓄積済みのコンテンツを優先的に提示することにより、コンテンツに触れる確率が増え、結果としてコンテンツに触れる時間が増加する。
【００３３】
また、本発明によれば、ある基準（提示理由）とともに推薦コンテンツを提示することにより、過去に視聴したコンテンツに関しても、新たな興味を持ちながら再度視聴することを支援することができる。
【００３４】
また、本発明によれば、ユーザが、どの基準を採用するか選ぶことができることによって、よりユーザが受け容れ易い提示が可能になる。
【００３５】
本発明のさらに他の目的、特徴や利点は、後述する本発明の実施形態や添付する図面に基づくより詳細な説明によって明らかになるであろう。
【発明を実施するための最良の形態】
【００３６】
以下、図面を参照しながら本発明の実施形態について詳解する。
【００３７】
図１には、本発明の一実施形態に係るコンテンツ視聴支援システムの全体構成を模式的に示している。
【００３８】
コンテンツ記録再生装置１００は、例えばセットトップボックスなどのテレビ受像機と一体又は外部接続して構成されており、各放送局から時々刻々と配信されてくる放送コンテンツを、ユーザ操作による録画予約設定、あるいは所定の自動録画予約手続に従って蓄積する。
【００３９】
コンテンツ記録再生装置１００は、放送コンテンツの受信・録画の際、コンテンツを識別するための情報や、コンテンツ録画・再生に関連する操作情報など、所定の情報をコンテンツ・データベース１０１に書き込んでおく。コンテンツ・データベース１０１の詳細については、後述に譲る。
【００４０】
また、コンテンツ記録再生装置１００は、インターネットなどの広域ネットワークに接続されており、ネットワーク上に構築されている情報提供サーバから例えば放送コンテンツの視聴を薦める推薦コンテンツ・リストを受信することができる。推薦コンテンツ・リストは、例えば、視聴率や放送局側からの推薦など、特定のユーザに依存しない一般的な情報に基づいて作成される。但し、推薦コンテンツ・リストの作成方法自体は本発明の要旨に直接関連しないので、本明細書中ではこれ以上説明しない。
【００４１】
コンテンツ記録再生装置１００は、推薦コンテンツ・リストを受信すると、これをコンテンツ・データベース１０１の記録内容とマッチングし、さらにマージ処理を行なう。すなわち、推薦コンテンツ・リストには、情報提供者側の意図に基づいて各コンテンツの優先順位が割り振られているが、コンテンツ・データベース１０１とのマッチング度に応じて、優先度の並べ替えを行なう。例えば、推薦コンテンツ・リスト中にはリストアップされているがコンテンツ・データベース１０１にないコンテンツは、コンテンツ記録再生装置１００に蓄積されていない、すなわち視聴しようがないので、推薦コンテンツ・リストから外される（若しくは優先順位が下げられる）。
【００４２】
また、コンテンツ記録再生装置１００は、ユーザに対して放送コンテンツを推薦するに当たってその評価基準を記述した基準リスト１０２を備えている。コンテンツ・データベース１０１とのマッチング並びにマージ処理が施された推薦コンテンツ・リストにエントリーされている各コンテンツに対して、基準リスト１０２中の各評価項目を適用して、ユーザに提示すべき最終的な推薦優先度を決定する。
【００４３】
本実施形態において、とりわけ特徴的なことは、基準リスト１０２が主としてコンテンツの記録や再生など蓄積済みのコンテンツに対して適用した操作内容に関する評価基準により構成されている点にある。基準リスト１０２の詳細については後述に譲る。
【００４４】
また、コンテンツ記録再生装置１００が例えば家庭内などにおいて複数のユーザ間で共用される場合には、ユーザ毎に異なる基準リスト１０２を用意しておいてもよい。
【００４５】
コンテンツ・データベース１０１とのマッチング並びにマージ処理が施され、さらに基準リストに基づいて推薦優先度が決定されると、そのリストが画面を介してユーザに提示される。本実施形態では、ユーザに分かり易いように推薦コンテンツ・リストを加工して画面を生成するようになっている。推薦コンテンツの提示画面の構成例については後述に譲る。
【００４６】
図２には、本発明に適用することができるコンテンツ記録再生装置１００のハードウェア構成を図解している。コンテンツ記録再生装置１００は、例えばセットトップボックスなどのテレビ受像機と一体、あるいは受像機を外部接続して構成されている。
【００４７】
コンテンツ記録再生装置１００内では、メイン・コントローラとしてのＣＰＵ（Ｃｅｎｔｒａｌ Ｐｒｏｃｅｓｓｉｎｇ Ｕｎｉｔ）１１は、バス５０を介して各ハードウェア・コンポーネントと相互接続して、各コンポーネントに対して統括的な制御を実行するようになっている。以下、各部について説明する。
【００４８】
アンテナ（図示しない）で受信された放送波は、チューナ５１に供給される。放送波は、規定のフォーマットに従うが、上記した衛星放送用の放送波以外に、有線放送波や地上波でもよく、特に限定されない。
【００４９】
チューナ５１は、ＣＰＵ１１からの指示に従い、所定チャネルの放送波のチューニングすなわち選局を行ない、後続の復調器５２に受信データを出力する。復調器５２では、デジタル変調されている受信データを復調する。なお、送信されてくる放送波がアナログかデジタルかに応じて、チューナ１１の構成を適宜変更又は拡張することができる。
【００５０】
復調されたデジタル・データは、ＭＰＥＧ２圧縮されたＡＶデータと番組情報とが多重化されて構成されるトランスポート・ストリームである。前者のＡＶデータは、放送番組本体を構成する映像及び音声情報、並びに字幕データで構成される。また、後者の番組情報は、この放送番組本体に付随するデータであり、ＥＰＧ（Ｅｌｅｃｔｒｏｎｉｃ  ＰｒｏｇｒａｍＧｕｉｄｅ：電子番組表）や番組の録画予約に利用される。
【００５１】
ＴＳデコーダ５３は、このトランスポート・ストリームを解釈して、ＭＰＥＧ２圧縮されたＡＶデータと番組情報に分離して、前者をＡＶデコーダ５４に送出するとともに、後者をバス５０経由でＣＰＵ１１に送信する。ＴＳデコーダ５３は、作業データ保管用のメモリ５３Ａを自己のローカルに備えていてもよい。
【００５２】
ＡＶデコーダ５４は、ＭＰＥＧ２方式で圧縮されたリアルタイムＡＶデータをＴＳデコーダ５３から受け取ると、圧縮映像データと圧縮音声データとに分離する。そして、映像データに対してはＭＰＥＧ２伸長処理して元の映像信号を再生し、音声データに対してはＰＣＭ（Ｐｕｌｓｅ Ｃｏｄｅ Ｍｏｄｕｌａｔｉｏｎ）デコードした後に付加音と合成して再生音声信号とする。ＡＶデコーダ５４は、作業データ保管用のメモリ５４Ａを自己のローカルに備えていてもよい。再生映像信号は、マルチプレクサ５５Ｂを介してディスプレイ６１に表示出力され、また、再生音声信号は、マルチプレクサ５５Ａを介してスピーカ６２に音声出力される。
【００５３】
あるいは、録画予約されている番組の放送コンテンツに関しては、圧縮映像データと圧縮音声データを伸張せず、バス５０経由でハード・ディスク装置１７に転送して、一旦記録する。この場合、視聴時には、ハード・ディスク装置１７から読み出された後改めてＡＶでコーダ５４にて伸張処理し再生出力する。蓄積済みコンテンツを視聴する際には、所定の推薦コンテンツ・リストがユーザに提示される。
【００５４】
ユーザ・インターフェース制御部５６は、ユーザからの入力操作を処理するモジュールであり、例えば、ユーザが直接マニュアル操作するための操作ボタン／スイッチ（図示しない）や、赤外線（ＩＲ）などを介したリモコン６６からの遠隔操作を受容する機能を備えている。また、ユーザ・インターフェース制御部５６は、現在の設定内容を表示するための表示パネルやＬＥＤインジケータ（図示しない）を含んでいてもよい。ユーザは、リモコン６６並びにユーザ・インターフェース制御部５６を介して、放送番組の選局や、受信コンテンツの録画、録画予約に関する設定、コンテンツ再生、録画コンテンツの消去などの操作を行なうことができる。
【００５５】
ＣＰＵ１１は、コンテンツ記録再生装置１００全体の動作を統括するメイン・コントローラである。また、ＣＰＵ１１は、バス５０経由で転送されてくる番組情報に基づいて受信コンテンツの録画、録画予約、再生などの処理を行なうことができる。本実施形態サーバから提供される推薦コンテンツ・リストにコンテンツ・データベース１０１並びに基準リスト１０２を適用し、ユーザに提示する最終的なコンテンツ推薦優先度を決定する処理をさらに行なう。ここで決定されたコンテンツ推薦優先度は、例えば提示理由などと併せてディスプレイ６１に画面出力される。
【００５６】
ＲＡＭ（Ｒａｎｄｏｍ Ａｃｃｅｓｓ Ｍｅｍｏｒｙ）１２は、ＣＰＵ１１の実行プログラム・コードをロードしたり、実行プログラムの作業データを書き込んだりするために使用される、書き込み可能な揮発性メモリである。また、ＲＯＭ（Ｒｅａｄ Ｏｎｌｙ Ｍｅｍｏｒｙ）１３は、受信機１０の電源投入時に実行する自己診断及び／又は初期化プログラムや、ハードウェア操作用のマイクロコードを恒久的に格納する読み出し専用メモリである。
【００５７】
シリアル入出力（ＳＩＯ）コントローラ１４は、受信機１０の外部機器とシリアル的なデータ交換を行なうための周辺コントローラである。ＳＩＯコントローラ１４が用意するシリアル・ポートには、アナログ電話回線上の伝送データを変復調するための高速モデム６３が外部接続されている。この高速モデム６３によって所定のアクセス・ポイント（図示しない）にＰＰＰ（Ｐｏｉｎｔ−ｔｏ−Ｐｏｉｎｔ Ｐｒｏｔｏｃｏｌ）接続することで、受信機１０は広域ネットワークとしてのインターネット７に接続されている。
【００５８】
インターネット７上には、さまざまな情報提供サーバが構築されている。一部の情報提供サーバは、放送コンテンツに関してユーザに視聴を推薦する推薦コンテンツ・リストを有償又は無償で提供している。サーバ側では、例えば、視聴率や放送局側からの推薦など、特定のユーザに依存しない一般的な情報に基づいて推薦コンテンツ・リストを作成する。また、インターネット７などの高域ネットワークを放送局へのアッパーリンクとして利用することもできる。
【００５９】
ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ：米国電気電子技術者協会）１３９４インターフェース１５は、数１００ＭＢｐｓ程度のデータ送受信が可能なシリアル高速インターフェースである。ＩＥＥＥ１３９４ポートには、ＩＥＥＥ１３９４対応の外部機器をデイジーチェーン接続又はツリー接続することができる。ＩＥＥＥ１３９４対応機器としては、例えば、ビデオ・カメラ６４やスキャナ（図示しない）などが挙げられる。
【００６０】
ハード・ディスク・ドライブ（ＨＤＤ）１７は、プログラムやデータなどを所定フォーマットのファイル形式で蓄積するための外部記憶装置であり、通常、数ＧＢ程度の比較的大容量を持つ。ＨＤＤ１７は、ハード・ディスク・インターフェース１８を介してバス５０に接続される。
【００６１】
本実施形態では、ＨＤＤ１７は、受信した放送コンテンツの蓄積、蓄積済みコンテンツに関するコンテンツ・データベース１０１の保管、基準リスト１０２の格納、サーバから取得した推薦コンテンツ・リストの格納などに利用される。また、サーバから提供される推薦コンテンツ・リストにコンテンツ・データベース１０１並びに基準リスト１０２を適用し、ユーザに提示する最終的なコンテンツ推薦優先度を決定する処理を行なうアプリケーションを、ＨＤＤ１７上にインストールしておくこともできる。
【００６２】
カード・インターフェース１８は、カード・スロット１９に装填されたカード型デバイス６５とバス５０との間でのバス・プロトコルを実現するための装置である。カード型デバイス６５の一例は、クレジットカード・サイズでカートリッジ式に構成されたＰＣカードである。ＰＣカードは、ＰＣＭＣＩＡ（Ｐｅｒｓｏｎａｌ Ｃｏｍｐｕｔｅｒ Ｍｅｍｏｒｙ Ｃａｒｄ Ｉｎｔｅｒｆａｃｅ Ａｓｓｏｃｉａｔｉｏｎ）及びＪＥＩＤＡ（Ｊａｐａｎ Ｅｌｅｃｔｒｏｎｉｃ Ｉｎｄｕｓｔｒｙ Ｄｅｖｅｌｏｐｍｅｎｔ Ａｓｓｏｃｉａｔｉｏｎ）が共同で策定した仕様"ＰＣ  Ｃａｒｄ  Ｓｔａｎｄａｒｄ"に準拠する。
【００６３】
表示コントローラ５７は、ディスプレイ６１への表示出力を制御するための専用コントローラである。
【００６４】
このコンテンツ記録再生装置１００上では、オンエア中のリアルタイム再生又は蓄積済みコンテンツの再生とともに、蓄積済みコンテンツに関する推薦コンテンツ・リストの表示制御などが行なわれる。すなわち、ＣＰＵ１１は、推薦コンテンツ・リストを処理して、表示用のデータに変換して表示コントローラ５７に供給する。表示コントローラ５７は、この表示データを基に画像信号を生成し、マルチプレクサ５５Ｂに供給する。
【００６５】
コンテンツ記録再生装置１００は、各放送局から時々刻々と配信されてくる放送コンテンツを、ユーザの録画予約設定又は所定の自動録画予約手続に従って蓄積する。そして、例えばインターネット７経由でサーバから提供される推薦コンテンツ・リストに対してユーザの基準リストを適用して、ユーザに提示すべき最終的な推薦優先度を決定し、ユーザに提示する。
【００６６】
図３には、本実施形態に係る蓄積コンテンツの視聴支援の処理フローを模式的に示している。
【００６７】
コンテンツ記録再生装置１００は、インターネット７などを経由して、情報提供サーバから放送コンテンツの視聴を薦める推薦コンテンツ・リストを受信する。推薦コンテンツ・リストは、例えば、視聴率や放送局側からの推薦など、特定のユーザに依存しない一般的な情報に基づいて作成される。
【００６８】
図４には、推薦コンテンツ・リストのテーブル構成例を示している。推薦コンテンツ・リストの各エントリーは、推薦するコンテンツのタイトルや放送局名、チャネル番号などコンテンツを識別するための情報と、放送開始日時、放送終了日時、コンテンツを推薦するお勧め度（優先順位）などで構成される。
【００６９】
コンテンツ記録再生装置１００は、推薦コンテンツ・リストを受信すると、これをコンテンツ・データベース１０１の記録内容とマッチングし、さらにマージ処理を行なう。
【００７０】
図５には、コンテンツ・データベース１０１のテーブル構成例を示している。図示の例では、コンテンツ・データベース１０１の各エントリーは、コンテンツの識別子や番組タイトル、放送局名、チャンネル番号などからなるコンテンツ自身の情報、放送開始日時、放送終了日時、蓄積時刻などの蓄積時間に関する情報、視聴回数、ユーザの嗜好度、プロテクト（消去禁止）の有無、ユーザＩＤなどの情報を含んでいる。ユーザの嗜好度は、例えばＥＰＧの記述内容とユーザ・プロファイルとのマッチング度に基づいて計算される。ユーザＩＤは、どのユーザが録画行為を行なったかを示すＩＤであり、特に１台のコンテンツ記録再生装置１００が例えば家庭内などにおいて複数のユーザ間で共用される場合に、サービスをパーソナライズ化するために使用される。機器１００による自動録画などユーザが特定されない場合には、ユーザＩＤを０とする。
【００７１】
推薦コンテンツ・リストには、情報提供者側の意図に基づいて各コンテンツの優先順位が割り振られているが、コンテンツ・データベース１０１とのマッチング度に応じて、優先度の並べ替えを行なう。例えば、推薦コンテンツ・リスト中にはリストアップされているがコンテンツ・データベース１０１にないコンテンツは、コンテンツ記録再生装置１００に蓄積されていない、すなわち視聴しようがないので、推薦コンテンツ・リストから外される（若しくは優先順位が下げられる）。
【００７２】
コンテンツ・データベース１０１とマッチング及びマージ処理した結果の推薦コンテンツ・リストを図６に示している。同図に示すように、推薦コンテンツ・リスト中にはリストアップされているがコンテンツ・データベース１０１にないコンテンツは、視聴しようがないので、優先順位が下げられる。
【００７３】
次いで、コンテンツ記録再生装置１００内に用意されている複数の基準リスト１０２の中から、現在機器操作中のユーザに対応するものを取り出し、これを推薦コンテンツ・リストに適用する。コンテンツ記録再生装置１００が例えば家庭内などにおいて複数のユーザ間で共用される場合には、ユーザ毎に異なる基準リスト１０２を用意されている。
【００７４】
本実施形態では、基準リスト１０２は、コンテンツの記録や再生など、蓄積済みのコンテンツに対して適用した操作内容などを評価基準として構成されている。
【００７５】
蓄積済みのコンテンツに対する操作内容などを基準とすることにより、サーバなどの情報提供者側で無作為又は一方的に推薦するのと異なり、蓄積済みのコンテンツを優先的に提示することにより、コンテンツに触れる確率を増やすような作用を与えることができる。この結果として、ユーザはさまざまなコンテンツに触れる時間が増加する。
【００７６】
図７には、基準リスト１０２のテーブル構成例を模式的に示している。同図に示す例では、以下に示す８つの項目が、蓄積コンテンツを推薦すべきかどうかを判断する評価基準として列挙されている。
【００７７】
（１）プロテクトされている
（２）蓄積されたが未だ見ていない
（３）蓄積してからある基準の時間を超えている
（４）蓄積直後
（５）ちょうど１年前
（６）視聴回数が大きいもの
（７）ある時点でのユーザ１（特定ユーザ）の嗜好に近いコンディション
（８）ユーザＩＤがユーザ２（特定ユーザ）に属するコンテンツ
【００７８】
プロテクトされているコンテンツは、ユーザが消去されたくないということは大切にしていると想定されるコンテンツである。したがって、そのコンテンツを優先的に提示してあげることは、ユーザが受け入れ易い。
【００７９】
また、コンテンツが大量に蓄積されている状態であると、ユーザはどのコンテンツをチェックしたいか判らない状態に陥る。そこで、蓄積されたが未だ見ていないコンテンツを優先的に提示してあげることで、ユーザにとって視聴選択の参考になる。
【００８０】
また、蓄積してからある程度時間が経過したコンテンツを提示することにより、ユーザに懐かしさを与えるとともに、新たな興味を持たせながら視聴してもらうことが可能になる。
【００８１】
また、蓄積直後のコンテンツを視聴させることは、ユーザによりリアルタイムに近い情報を与えることができる。例えば、ニュースなどのコンテンツであればより有効である。
【００８２】
また、蓄積した日時がある特定の日時と一致した場合など、あるイベント（アニバーサリー）にマッチしたコンテンツであるかどうかを基準に挙げた場合、ある特定の日時に関連したコンテンツを提示することによって、ユーザはより興味を増して視聴することが可能になる。
【００８３】
また、視聴回数が多いコンテンツは、何回も見たいというコンテンツであると想定することが可能であり、そのコンテンツを優先的に提示してあげることで、ユーザは受け入れ易い。
【００８４】
また、当然のことながら、ユーザ嗜好度が高いコンテンツを優先的に提示してあげることで、ユーザは受け入れ易い。さらに、ユーザ嗜好度が動的に変化すれば、その時点での嗜好に合った効率のよい提示が可能になる。
【００８５】
また、ユーザＩＤに属しているコンテンツは、当然のことながら、そのユーザの興味のあるコンテンツである。そのコンテンツを優先的に提示してあげることで、ユーザは受け入れ易い。また、上述した他の評価基準と組み合わせることによって、パーソナライズした視聴支援を実現することができる。例えば、蓄積した日時が、ある特定の日時と一致した場合の例と組み合わせ、ユーザＩＤが一致し、且つ日時がユーザの誕生日と一致した場合に提示することをすれば、効率のよい提示になるであろう。
【００８６】
推薦コンテンツ・リストにエントリーされている各蓄積コンテンツに対して基準リストに挙げられている評価基準を満たすかどうかを判断する。そして、満たした評価基準の数が多いほど、より高い推薦優先度を得ることができる。
【００８７】
なお、図７に示した基準リスト１０２の構成例では、列挙されている各評価基準はそれぞれ均等な重みが与えられており、ある評価基準を満たすことと他の評価基準を満たすことが同じ意味を持つ。これに対し、評価項目毎に異なる重みを与えることも可能である。図８には、各評価基準に重み付けを施した基準リスト１０２のテーブル構成例を示している。
【００８８】
このように推薦コンテンツ・リストにエントリーされている各蓄積コンテンツに対して基準リスト１０２に挙げられている各評価項目を適用する（すなわち、評価基準を満たすかどうかを判断する）ことによって、最終的にユーザに提示すべき蓄積コンテンツの推薦優先度を決定することができる。図９には、基準リスト１０２を適用した後の推薦コンテンツ・リストの一例を示している。同図に示す例では、１番目のエントリーと２番目のエントリーが、基準リスト１０２を適用する前後で優先度が入れ替わっている。なお、コンテンツ・データベース１０１が図５に示すようにユーザＩＤを含み、且つ、基準リスト１０２がパーソナライズ化されている場合には、装置１００に蓄積済みコンテンツのうち該当ユーザの操作によって蓄積されたもののみを最終的な推薦コンテンツ・リストにエントリーするようにしてもよい。
【００８９】
コンテンツ・データベース１０１とのマッチング並びにマージ処理が施され、さらに基準リスト１０２に基づいて推薦優先度が決定されると、そのリストが画面を介してユーザに提示される。本実施形態では、ユーザに分かり易いように推薦コンテンツ・リストを加工して画面を生成する。
【００９０】
図１０には、ユーザに提示される推薦コンテンツ・リストの表示画面の構成例を示している。同図に示す例では、基準リスト１０２を適用後、最終的に決定された推薦優先度の順に、コンテンツがそのタイトルやチャンネル番号、お勧め優先度とともに表示される。各コンテンツの表示領域には、対応する蓄積コンテンツの再生コマンドが埋め込まれていてもよい。
【００９１】
このような推薦コンテンツ・リストを提示する際に、さらに提示した推薦の理由を併記するようにしてもよい。提示理由とともに推薦コンテンツを提示することにより、過去に視聴したコンテンツに関しても、新たな興味を持ちながら再度視聴することを支援することができる。
【００９２】
図１１には、提示理由とともに提示された推薦コンテンツ・リストの表示画面の構成例を示している。この場合、ユーザは、どの基準を採用するか選ぶことができることによって、よりユーザが受け容れ易い提示が可能になる。
【００９３】
提示理由は、例えば蓄積済みコンテンツが満たす基準リストの項目に従って決定される。複数の評価項目を満たすときには、その組み合わせに基づいた提示理由を提示する。複数の提示理由をあらかじめ用意しておき、該当するものを適宜取り出して提示するようにしてもよい。
【００９４】
［追補］
以上、特定の実施形態を参照しながら、本発明について詳解してきた。しかしながら、本発明の要旨を逸脱しない範囲で当業者が該実施形態の修正や代用を成し得ることは自明である。
【００９５】
本明細書中では、サーバから提供される推薦コンテンツ・リストを、テレビ受像機又はＨＤＤレコーダなどのクライアント端末側において、コンテンツ・データベースでマッチング並びにマージ処理を行なった後、基準リストを用いて優先度を再評価するという実施形態を中心に説明してきたが、本発明の要旨はこれに限定されるものではない。例えば、クライアントではなくサーバ側において、一般化された推薦コンテンツ・リストを、個々のクライアントから送られてきたコンテンツ・データベース及び基準リストを用いて再評価し、最終的な推薦コンテンツ・リストとしてクライアントに提供するようにしてもよい。
【００９６】
また、サーバなどの外部から供給された推薦コンテンツ・リストをクライアント側で加工するのではなく、クライアント側で管理されているコンテンツ・データベースに対して基準リストを直接適用することによっても、ユーザに提示すべきコンテンツの推薦優先度を得ることができる（図１２を参照のこと）。
【００９７】
また、本明細書中では、蓄積済みの放送コンテンツに関する視聴の推薦を行なうという実施形態を中心に説明したが、本発明の要旨はこれに限定されるものではない。例えば、放送ではなくＤＶＤなどの記録メディアを介して配布されるコンテンツや、ビデオ・カメラを用いてユーザ自ら作成したビデオや写真などのパーソナルなコンテンツに関しても、本発明を適用することでコンテンツの視聴支援を実現することができる。
【００９８】
要するに、例示という形態で本発明を開示してきたのであり、本明細書の記載内容を限定的に解釈するべきではない。本発明の要旨を判断するためには、冒頭に記載した特許請求の範囲の欄を参酌すべきである。
【図面の簡単な説明】
【００９９】
【図１】図１は、本発明の一実施形態に係るコンテンツ視聴支援システムの全体構成を模式的に示した図である。
【図２】図２は、本発明に適用することができるコンテンツ記録再生装置１００のハードウェア構成を示した図である。
【図３】図３は、本発明に係る蓄積コンテンツの視聴支援の処理フローを模式的に示した図である。
【図４】図４は、推薦コンテンツ・リストのテーブル構成例を示した図である。
【図５】図５は、コンテンツ・データベース１０１のテーブル構成例を示した図である。
【図６】図６は、コンテンツ・データベース１０１とマッチング及びマージ処理した結果の推薦コンテンツ・リストを示した図である。
【図７】図７は、基準リスト１０２のテーブル構成例を模式的に示した図である。
【図８】図８は、各評価基準に重み付けを施した基準リスト１０２のテーブル構成例を模式的に示した図である。
【図９】図９は、基準リストを適用した後の推薦コンテンツ・リストを示した図である。
【図１０】図１０は、ユーザに提示される推薦コンテンツ・リストの表示画面の構成例を示した図である。
【図１１】図１１は、提示理由とともに提示された推薦コンテンツ・リストの表示画面の構成例を示した図である。
【図１２】図１２は、クライアント側で管理されているコンテンツ・データベースに対して基準リストを直接適用することにより、ユーザに提示すべきコンテンツの推薦優先度を得る仕組みを示した図である。
【符号の説明】
【０１００】
１１…ＣＰＵ
１２…ＲＡＭ（Ｒａｎｄｏｍ Ａｃｃｅｓｓ Ｍｅｍｏｒｙ）
１３…ＲＯＭ（Ｒｅａｄ Ｏｎｌｙ Ｍｅｍｏｒｙ）
１４…ＳＩＯコントローラ
１５…ＩＥＥＥ１３９４コントローラ
１６…ハード・ディスク・インターフェース
１７…ハード・ディスク・ドライブ（ＨＤＤ）
１８…カード・インターフェース，１９…カード・スロット
５０…バス，５１…チューナ，５２…復調器，
５３…ＴＳデコーダ５４…ＡＶデコーダ
５３Ａ，５４Ａ…ＲＡＭ（Ｒａｎｄｏｍ Ａｃｃｅｓｓ Ｍｅｍｏｒｙ）
５５Ａ，Ｂ…マルチプレクサ（ＭＵＸ）
５６…ユーザ・インターフェース制御部
５７…表示コントローラ
５８…バス（ＰＣＩ）・インターフェース
６１…ディスプレイ，６２…スピーカ
６３…高速モデム，６４…ビデオ・カメラ
６５…メモリ・カード
６６…リモコン
１００…コンテンツ記録再生装置
１０１…コンテンツ・データベース
１０２…基準リスト
【図１】
2005033601.tif 000003
【図２】
2005033601.tif 000004
【図３】
2005033601.tif 000005
【図４】
2005033601.tif 000006
【図５】
2005033601.tif 000007
【図６】
2005033601.tif 000008
【図７】
2005033601.tif 000009
【図８】
2005033601.tif 000010
【図９】
2005033601.tif 000011
【図１０】
2005033601.tif 000012
【図１１】
2005033601.tif 000013
【図１２】
2005033601.tif 000014